(57)【要約】【課題】室外機と室内機とこれらを接続する延長冷媒配管とＨＣＦＣ系冷媒を用いる冷媒回路とを有する既設の空気調和装置を、ＨＣＦＣ系冷媒を用いる空気調和装置に更新するときに、既設延長冷媒配管を再利用すると共に、既設延長冷媒配管のコンタミを吸着するための吸着剤を冷媒流通抵抗の少ない構造とする。【解決手段】中心部に貫通孔を有する吸着剤を内装したコンタミ回収手段を冷媒回路中に設けて、冷媒の圧力損失を抑え、空気調和装置の性能の低下を抑制できながら、既設延長冷媒配管のコンタミは、循環冷媒によってコンタミ回収手段の内壁に沿って運ばれるため、貫通孔があっても吸着性能の低下がほとんど生じない。【選択図】図１
2007255760.tif 000002
【特許請求の範囲】
【請求項１】
更新した新室外機と、更新した新室内機と、前記新室外機と前記新室内機とを接続する更新しない既設延長冷媒配管と、冷媒回路とを有する空気調和装置において、前記冷媒回路中にコンタミを回収するコンタミ回収手段を設け、前記コンタミ回収手段は中心部に貫通孔を有する吸着剤を内装していることを特徴とする空気調和装置。
【請求項２】
前記コンタミ回収手段を前記既設延長冷媒配管の液管に接続し、前記貫通孔の径を前記液管の内径とほぼ同じにしたことを特徴とする請求項１に記載の空気調和装置。
【請求項３】
冷媒絞り機構を前記コンタミ回収手段の上流側に設けたことを特徴とする請求項２に記載の空気調和装置。
【請求項４】
圧縮機、室外熱交換器、四方弁を備えた更新した新室外機と、室内熱交換器を備えた新室内機と、前記新室外機と前記新室内機とを接続する更新しない既設延長冷媒配管と、冷媒回路とを有する空気調和装置において、前記室外機側に位置する前記既設延長冷媒配管の液管に絞り機構を接続し、前記室内機側に位置する前記既設延長冷媒配管の液管に絞り機構を接続したことを特徴とする空気調和装置。
【発明の詳細な説明】
【技術分野】
【０００１】
本発明は、室外機と室内機とこれらを接続する延長冷媒配管とハイドロクロロフルオロカーボン（以後、ＨＣＦＣという)系冷媒を用いる冷媒回路とを有する既設の空気調和装置を更新するときに、既設延長冷媒配管を再利用すると共に、ハイドロフルオロカーボン（以後、ＨＦＣという）系冷媒を用いる冷媒回路とした空気調和装置に関する。
【背景技術】
【０００２】
従来、室外機と室内機とこれらを接続する延長冷媒配管とＨＣＦＣ系冷媒を用いる冷媒回路とを有する既設の空気調和装置を更新するときに、既設延長冷媒配管を再利用すると共に、室外機、室内機を交換してＨＦＣ系冷媒を用いる冷媒回路とし、冷媒回路にコンタミ回収手段を備えた空気調和装置が知られている（例えば、特許文献１参照）。
【０００３】
この従来の空気調和装置は、更新後のＨＦＣ系冷媒に対応した空気調和装置に更新する前に、（１）まず更新前のＨＣＦＣ系冷媒で運転し、更新前のＨＣＦＣ系冷媒を循環して延長冷媒配管内に残留する更新前のＨＣＦＣ系冷媒に適合する冷凍機油等のコンタミを除去して室外機に回収することで、コンタミの残留濃度をできるだけ下げておき、（２）次に、室外機及び室内機を更新後のＨＦＣ系冷媒に対応する機種に取り替えると同時に、コンタミ回収手段を冷媒回路に設置し、（３）次に、更新後の作動冷媒で運転する冷媒回路において、更新後の作動冷媒を循環して既設延長冷媒配管内に残留するコンタミを除去して、コンタミ回収手段で回収することで、さらにコンタミの残留濃度を下げるようにしている。
【０００４】
【特許文献１】特開２００３−２７９１９９号公報
【発明の開示】
【発明が解決しようとする課題】
【０００５】
従来の空気調和装置におけるコンタミ回収手段は、活性炭等からなる吸着剤が容器の断面中に占める面積が大きいために、コンタミ回収手段を冷媒回路中に組み込むと圧力損失を生じ、性能が低下するという問題があった。
【０００６】
本発明は、上述の課題を解決するためになされたものであり、空気調和装置の性能低下の生じないコンタミ回収手段を備えた空気調和装置を提供することを目的としている。
【課題を解決するための手段】
【０００７】
本発明は、更新した新室外機と、更新した新室内機と、前記新室外機と前記新室内機とを接続する更新しない既設延長冷媒配管と、冷媒回路とを有する空気調和装置において、前記冷媒回路中にコンタミを回収するコンタミ回収手段を設け、前記コンタミ回収手段は中心部に貫通孔を有する吸着剤を内装している空気調和装置である。
【発明の効果】
【０００８】
本発明では、更新した新室外機と、更新した新室内機と、これらを接続する更新しない既設延長冷媒配管を用い、冷媒回路中に設けるコンタミ回収手段は、中心部に貫通孔を有する吸着剤を内装したから、冷媒の圧力損失を抑え、空気調和装置の性能の低下を抑制することができる。また、冷媒がコンタミ回収手段を流通するとき冷媒中に含まれるコンタミは吸着剤を内装したコンタミ回収手段の内壁に沿って運ばれるため、吸着剤の中心部に貫通孔があっても吸着性能の低下はほとんどない。
【発明を実施するための最良の形態】
【０００９】
実施の形態１．
図１は本発明の実施の形態１を示す空気調和装置の冷媒回路図である。
図１に示す空気調和装置は、更新した新室外機１と、更新した新室内機１１と、新室外機１と新室内機１１とを接続する更新しない既設延長冷媒配管と、冷媒回路と、既設延長冷媒配管の液管２１に設けたコンタミ回収手段３１とを備えている。
【００１０】
新室外機１は圧縮機２、室外熱交換器３及び四方弁４を備え、新室内機１１は室内熱交換器１２及び絞り機構１３を備えている。更新しない既設延長冷媒配管は液管２１とガス管２２とから構成しており、コンタミ回収手段３１は既設延長冷媒配管の液管２１における新室外機１又は新室内機１１との接続部近傍に設けるのである。
【００１１】
コンタミ回収手段３１は、図２に詳細を示すように、既設延長冷媒配管の液管２１に接続するためのユニオンねじを持つ継ぎ手部３２、３３と、継ぎ手部３２、３３よりも径を大きくした吸着剤収納部３４と、継ぎ手部３２、３３から吸着剤収納部３４に拡径する拡径部３５、３６とからなる容器内に、吸着剤３７を収納して構成している。
【００１２】
吸着剤３７は、モールド活性炭からなり、図３に詳細を示すように、中心部に貫通孔３８を備えており、貫通孔３８の径を既設延長冷媒配管の液管２１の内径とほぼ同じにしている。
【００１３】
図１に示す空気調和装置における冷媒回路は、圧縮機２、室外熱交換器３、四方弁４、室内熱交換器１２、絞り機構１３、既設延長冷媒配管の液管２１、既設延長冷媒配管のガス管２２、新室外機１内の液冷媒配管２３、ガス冷媒配管２４、新室内機１１のガス冷媒配管２５、液冷媒配管２６などから構成されている。
【００１４】
冷媒回路を循環する冷媒は、ＨＦＣ系冷媒であり、例えばＲ３２とＲ１２５との共沸混合冷媒であるＨＦＣ４１０Ａを用いるのである。
【００１５】
本発明の実施の形態１は、以上のように構成するのであり、次に作用を説明する。
新室外機１と新室内機２を備えた空気調和装置に更新する前に、更新前のＨＣＦＣ系冷媒で運転し、更新前のＨＣＦＣ系冷媒を循環して延長冷媒配管内に残留する更新前のＨＣＦＣ系冷媒に適合する冷凍機油等のコンタミを除去して室外機に回収することで、コンタミの残留濃度をできるだけ下げておき、次に、新室外機及び新室内機に取り替えると共に、コンタミ回収手段３１を既設延長冷媒配管の液管２１に設置し、次に、更新後のＨＦＣ系冷媒を既設延長冷媒配管の径及び長さに適合するように充填した後、更新後の空気調和装置を運転し、既設延長冷媒配管内に残留するコンタミを除去して、コンタミ回収手段３１で回収することで、さらにコンタミの残留濃度を下げるようにしている。
【００１６】
この実施の形態１では、ＨＦＣ系冷媒がコンタミ回収手段３１を循環するが、中心部に既設延長冷媒配管の液管２１の内径とほぼ同じ径の貫通孔３８を備えているため、冷媒流通時の圧力損失が小さく、空気調和装置の性能の低下を抑制することができる。また、冷媒がコンタミ回収手段３１を流通するときＨＦＣ系冷媒中に含まれるコンタミは吸着剤３７を内装したコンタミ回収手段３１の容器の内壁に沿って運ばれるため、吸着剤３７の中心部に貫通孔３８があっても吸着性能の低下はほとんどない。
【００１７】
以上の実施の形態１では、コンタミ回収手段３１を既設延長冷媒配管の液管２１に設けたが、本発明は空気調和装置を構成する冷媒回路中であれば、既設延長冷媒配管のガス管２２、新室外機１内の液冷媒配管２３、ガス冷媒配管２４、新室内機１１のガス冷媒配管２５、液冷媒配管２６などに設けてもよく、複数設けてもよい。既設延長冷媒配管の新室外機１又は新室内機１１との接続部近傍に設けることにより、新室外機１及び新室内機１１を汎用機とすることができる。また、吸着剤３７に設けた貫通孔３８の径は、設ける管の内径より大きくても小さくてもよいが、設ける管の内径と同じにすれば冷媒の流通抵抗を一層小さくすることができる。
【００１８】
実施の形態２．
図４は本発明の実施の形態２を示す空気調和装置の冷媒回路図である。
実施の形態２は、図１におけるコンタミ回収手段３１の上流側である既設延長冷媒配管の液管２１に冷媒絞り機構４１を設けた点で、実施の形態１と相違し、この相違点を除き実施の形態１と同一である。
【００１９】
以下、実施の形態２については、実施の形態１と相違する点について説明し、同じ点については説明を省略する。冷媒絞り機構４１を設けたため、室内機１１に設けた絞り機構１３については全開にするのである。
【００２０】
冷媒絞り機構４１をコンタミ回収手段３１の上流側である既設延長冷媒配管の液管２１に設けたので、コンタミ回収手段３１にはＨＦＣ系冷媒が気液二層で流通し、コンタミを運ぶ性能の高い液層が吸着剤３７の外周部を流通し、ガス層が中心部の貫通孔３８を流通するようにして、冷媒の流通抵抗を小さくしながら、コンタミの吸着性能の低下を小さくしているのである。
【００２１】
実施の形態３．
図５は本発明の実施の形態３を示す空気調和装置の冷媒回路図である。
実施の形態３は、図５に示すように、図１におけるコンタミ回収手段３１の出入口にそれぞれ開閉弁２７、２８を設ける共に、コンタミ回収手段３１及び開閉弁２７、２８と並列に開閉弁２９を有するバイパス配管３０を設ける点で、実施の形態１と相違する。
【００２２】
以下、実施の形態３については、実施の形態１と相違する点について説明し、同じ点については説明を省略する。コンタミの回収を行うコンタミ回収運転では、既設延長冷媒配管の液管２１の開閉弁２７、２８を開き、バイパス配管３０の開閉弁２９を閉じるのであり、冷媒はコンタミ回収手段３１を流通し、冷媒中のコンタミがコンタミ回収手段３１の吸着剤３７に吸着される。
【００２３】
コンタミ吸着後の通常運転では、既設延長冷媒配管の液管２１の開閉弁２７、２８を閉じ、バイパス配管３０の開閉弁２９を開くのであり、通常運転において吸着剤３７からコンタミが脱着して冷媒回路へ流出することを確実に防ぐことができる。
【００２４】
実施の形態４．
図６は本発明の実施の形態４を示す空気調和装置の冷媒回路図である。
実施の形態４は、図６に示すように、既設延長冷媒配管の液管２１における新室外機１側に絞り機構４２と、既設延長冷媒配管の液管２１における新室内機１１側に絞り機構４３とを設けると共に、図１におけるコンタミ回収手段３１及び新室内機１１の絞り機構１３を用いていない点で、実施の形態１と相違する。
【００２５】
以下、実施の形態４については、実施の形態１と相違する点について説明し、同じ点については説明を省略する。液管２１における新室外機１側に設けた絞り機構４２は冷房運転時に絞り作用を行い、暖房運転時に全開とするのであり、液管２１における新室内機１１側に設けた絞り機構４３は暖房運転時に絞り作用を行い、冷房運転時に全開とするのである。
【００２６】
実施の形態４は、絞り機構４２と絞り機構４３との間の液管２１を流通する冷媒は、冷房運転時及び暖房運転時とも気液二層となり、気層があるため、冷媒充填量を少なくすることができるのである。
【００２７】
冷媒をＨＣＦＣ系のＲ２２からＨＦＣ系のＲ４１０Ａにした空気調和装置に更新し、既設延長冷媒配管を利用する場合、既設延長冷媒配管の液管の径が、延長冷媒配管を新設する場合の径に比して冷媒の特性上から大きいため、冷媒充填量が延長冷媒配管を新設する場合に比し多く必要であったが、実施の形態４によれば冷媒充填量を軽減でき、特に既設延長冷媒配管が長い場合にその効果が顕著である。
【００２８】
なお、実施の形態４においては、コンタミ回収手段を備えていないが、新室外機１と新室内機２を備えた空気調和装置に更新する前に、更新前のＨＣＦＣ系冷媒で運転し、更新前のＨＣＦＣ系冷媒を循環して延長冷媒配管内に残留する更新前のＨＣＦＣ系冷媒に適合する冷凍機油等のコンタミを除去して室外機に回収することで、コンタミの残留濃度をできるだけ下げておき、次に、室外機及び室内機を取り外して、適宜の洗浄装置により既設延長冷媒配管内に残留するコンタミを除去し、コンタミの残留濃度を下げた後、新室外機及び新室内機を既設延長冷媒配管に接続し、次に、更新後のＨＦＣ系冷媒を既設延長冷媒配管の径及び長さに適合するように充填した後、更新後の空気調和装置を通常運転するようにしている。
【図面の簡単な説明】
【００２９】
【図１】本発明の実施の形態１を示す空気調和装置の冷媒回路図である。
【図２】本発明の実施の形態１のコンタミ回収手段を示す正面図である。
【図３】本発明の実施の形態１の吸着剤を示す斜視図である。
【図４】本発明の実施の形態２を示す空気調和装置の冷媒回路図である。
【図５】本発明の実施の形態３を示す空気調和装置の冷媒回路図である。
【図６】本発明の実施の形態４を示す空気調和装置の冷媒回路図である。
【符号の説明】
【００３０】
１  新室外機、２  圧縮機、３  室外熱交換器、４  四方弁、１１  室内機、１２  室内熱交換器、１３  絞り機構、２１  既設延長冷媒配管の液管、２２  既設延長冷媒配管のガス管、３１  コンタミ回収手段、３７  吸着剤、３８  貫通孔、４１  絞り機構、４２  絞り機構、４３  絞り機構。
【図１】
2007255760.tif 000003
【図２】
2007255760.tif 000004
【図３】
2007255760.tif 000005
【図４】
2007255760.tif 000006
【図５】
2007255760.tif 000007
【図６】
2007255760.tif 000008